(57)【要約】【課題】  十字方向に配置された４つのスイッチが制限された空間に配置されていても、一つの操作ボタンで良好に操作できる複合操作ボタンを提供する。【解決手段】  押下操作する操作部１と、操作部１を復帰させる弾性片３と、操作部の位置を固定するための固定片２とを有し、操作部１は４つのスイッチ４の上部を覆うリング形状を成して、それぞれのスイッチ４の上部が押下されると個別にオン動作すると共に、操作部１の隣接するスイッチ４の中間部位が押下されると、押下した部位近傍の２つのスイッチ４がオン動作する一方、弾性片３は固定片２と操作部１との間に設けられた棒状体であり、それぞれの固定片２に対して２本ずつ有して、操作部１の周囲４箇所に弾性片３が取り付けられて成り、更に弾性片３は操作部１の周囲に沿って円弧状に配設された弾性調整部を有している。【選択図】  図１
2018049792.tif 000002
【特許請求の範囲】
【請求項１】
十字方向に配置されて押下操作を受けてオン動作する４つのスイッチに対し、一体化した１つの操作ボタンで個々の前記スイッチを操作可能とした複合操作ボタンであって、
押下操作する操作部と、押下操作した前記操作部を復帰させる弾性片と、前記操作部の位置を固定するために前記操作部を挟む様に配置された一対の固定片とを有し、
前記操作部は、前記４つのスイッチの上部を覆うリング形状或いは円盤状を成して、それぞれのスイッチの上部が押下されると個別にオン動作すると共に、前記操作部の隣接するスイッチの中間部位が押下されると、押下した部位近傍の２つのスイッチがオン動作する一方、
前記弾性片は、前記固定片と前記操作部との間に設けられた棒状体であり、それぞれの前記固定片に対して２本ずつ有して、前記操作部の周囲４箇所に前記弾性片が取り付けられて成ると共に、前記操作部の周囲に沿って円弧状に配設された弾性調整部を有し、当該弾性調整部の長さは、前記弾性片全体の弾性力が所定の大きさになるよう設定されて成ることを特徴とする複合操作ボタン。
【請求項２】
前記操作部は、押下操作を受けて前記スイッチに接触するスイッチ当接片を背部４箇所に有し、
前記操作部の隣接するスイッチの中間部位が押下された際に、隣接するスイッチが連動しない場合は、先にオン動作するスイッチに対する前記スイッチ当接片を連動対象の他方より所定量短く形成したことを特徴とする請求項１記載の複合操作ボタン。
【発明の詳細な説明】
【技術分野】
【０００１】
本発明は、１つの操作ボタンで十字方向に配置された４つのスイッチを操作する複合操作ボタンに関する。
【背景技術】
【０００２】
例えばテレビドアホンでは、玄関子機に設けられたカメラをパンチルト操作するボタンを居室親機に設けたものがある。この場合、上下左右の４方向のカメラ移動（或いは表示映像の移動）を行う１つの複合スイッチが設けられ、４つのスイッチが十字状に配置されて、それらのスイッチを覆う一体化した１つのリング形状或いは円形の操作ボタンで操作可能としている（例えば、特許文献１参照）。
このように複数のスイッチに対して操作ボタンを一体化することで、例えば操作ボタンの右上等の中間位置を押下すると上側と右側のスイッチの双方を１本の指で同時に操作できるため、利便性の良い操作ボタンとなっていた。
【先行技術文献】
【特許文献】
【０００３】
【特許文献１】特開２０１０−１７７９９４号公報
【発明の概要】
【発明が解決しようとする課題】
【０００４】
上記複合操作ボタンは、上下左右の十字方向の部位を押下操作するだけではなく、上述したようにその中間部位を押下すれば２つの操作を同時に実施できるため、中間位置を押下されても押下する操作圧に差が発生せず実施できるよう、即ち任意の部位が押下されても一定の押下力で操作できるよう通常操作ボタンの周囲４箇所に弾性部材が設けられている。
しかしながら、ボタンを設ける機器が薄型化を求められている場合、その弾性部材の配置スペースも制限され、中間部位を押下した際には２つのスイッチが同時に操作される構造を得るのが難しい場合が発生し、そのような場合は中間部位を押下しても対象となる２つのスイッチのうち、一方が先にオン動作してしまいスムーズな操作とならない場合があった。
【０００５】
そこで、本発明はこのような問題点に鑑み、十字方向に配置された４つのスイッチを操作する１つの操作ボタンが制限された空間に配置されていても、良好に操作できる複合操作ボタンを提供することを目的としている。
【課題を解決するための手段】
【０００６】
上記課題を解決する為に、請求項１の発明は、十字方向に配置されて押下操作を受けてオン動作する４つのスイッチに対し、一体化した１つの操作ボタンで個々のスイッチを操作可能とした複合操作ボタンであって、押下操作する操作部と、押下操作した操作部を復帰させる弾性片と、操作部の位置を固定するために操作部を挟む様に配置された一対の固定片とを有し、操作部は、４つのスイッチの上部を覆うリング形状或いは円盤状を成して、それぞれのスイッチの上部が押下されると個別にオン動作すると共に、操作部の隣接するスイッチの中間部位が押下されると、押下した部位近傍の２つのスイッチがオン動作する一方、弾性片は、固定片と操作部との間に設けられた棒状体であり、それぞれの固定片に対して２本ずつ有して、操作部の周囲４箇所に弾性片が取り付けられて成ると共に、操作部の周囲に沿って円弧状に配設された弾性調整部を有し、当該弾性調整部の長さは、弾性片全体の弾性力が所定の大きさになるよう設定されて成ることを特徴とする。
この構成によれば、操作部と弾性片との間に障害物があったり、操作部を挟む好ましい位置に固定片を配置できず、適正な長さで互いにバランスの取れた弾性片を設けるのが難しくても、弾性調整部の長さを各弾性片の形状に合わせて調節することで、各弾性片に対して一様な弾性力を持たせることができる。よって、複合操作ボタンの配置空間が制限されていても、十字方向に配置された４つのスイッチの良好な操作が可能となる。また、弾性調整部は、操作部の外周に沿って円弧状に配設されるため、操作部周囲に僅かな空間があれば配設でき、好ましい長さの弾性調整部を容易に形成できる。
【０００７】
請求項２の発明は、請求項１に記載の構成において、操作部は、押下操作を受けてスイッチに接触するスイッチ当接片を背部４箇所に有し、操作部の隣接するスイッチの中間部位が押下された際に、隣接するスイッチが連動しない場合は、先にオン動作するスイッチに対するスイッチ当接片を連動対象の他方より所定量短く形成したことを特徴とする。
この構成によれば、隣接するスイッチを同時にオンさせるために両スイッチの中間部位となる操作部の中間部位を押下した際に、連動せず特定の一方が先にオン動作するよう形成されていても、先にオン動作するスイッチ当接片の長さを所定量短くすることで、双方のスイッチが同時にオン可能となり、弾性片の大きな変更を実施することなく違和感のない操作を実現できる。
【発明の効果】
【０００８】
本発明によれば、操作部と弾性片との間に障害物があったり、距離が短く適正な長さの弾性片を設けるのが難しくても、操作部の外周に沿って配設された弾性調整部の長さを調節することで各弾性片の間で一様な弾性力を持たせることができる。よって、弾性片の配置空間が制限されていても、十字方向に配置された４つのスイッチの良好な操作が可能となる。
【図面の簡単な説明】
【０００９】
【図１】本発明に係る複合操作ボタンの一例を示す斜視図である。
【図２】図１の複合操作ボタンを背面方向から見た斜視図である。
【図３】（ａ）は複合操作ボタンの正面図、（ｂ）は背面図である。
【図４】複合操作ボタンをインターホン機器に取り付けた状態を示すインターホン機器の正面説明図で、前面側ケースを取り外して回路基板を露出させた図である。
【図５】図４の状態で複合操作ボタンを取り外した図である。
【図６】図３のＡ−Ａ線断面図である。
【図７】図６のＢ部拡大図である。
【発明を実施するための形態】
【００１０】
以下、本発明を具体化した実施の形態を、図面を参照して詳細に説明する。図１〜３は本発明に係る複合操作ボタンの一例を示し、図１は斜視図、図２は背面方向から見た斜視図、図３（ａ）は正面図、図３（ｂ）は背面図であり、インターホン機器においてカメラ撮像映像の表示をパン／チルト操作するボタンを示している。
複合操作ボタンは、十字状に配置された４個のスイッチを操作する一体型の操作ボタンであり、各スイッチを個々に押下操作する操作部１、操作部１の位置を固定する固定片２、押下した操作部１に復帰力を付与する弾性片３により構成されている。尚、４は操作対象のスイッチを示し、第１スイッチ４ａ〜第４スイッチ４ｄの４つで構成されている。
【００１１】
操作部１は、リング状（中央部が空洞の円盤形状）に形成されており、各スイッチ４の上部を覆うと共に、隣接するスイッチの中間部も覆っている。こうして、スイッチ４の上部を押下すると直下のスイッチ４のみオン動作し、スイッチ４とスイッチ４の間（中間部位）を押下すると、近傍の２つのスイッチ４がオン動作するよう構成されている。
操作部１の背面には、図２に示すようにスイッチ４の位置に対応する４箇所にスイッチ４に接触してオン動作させるスイッチ当接片５（第１当接片５ａ〜第４当接片５ｄ）を有している。尚、この実施形態では、４つのスイッチ４のうち，第１スイッチ４ａ、第２スイッチ４ｂの組と、第３スイッチ４ｃ、第４スイッチ４ｄの組とは、異なる高さに配置されているため、スイッチ当接片５も第１当接片５ａ、第２当接片５ｂの組と、第３当接片５ｃ、第４当接片５ｄの組とで異なる高さとなっている。
【００１２】
固定片２は、上下に長い板状に形成され、操作部１の左右双方に配置されている。また、所定の厚みを設けて形成され、操作部１を露出して配置する前面側ケース（図示せず）とスイッチ４が組み付けられた回路基板（図４に示す）とで挟持されて固定される。そして、２１は前面側ケースの背面（ケース内面）に設けられた図示しない位置決め突起に係合する係合凹部であり、この係合凹部２１がケースに係合して固定片２は固定される。
尚、左側の固定片２（第１固定片２ａ）と右側の固定片２（第２固定片２ｂ）とは非対称に形成されているが、周囲に配置されている部材の状況に対応したものであり、当然対称形状が好ましい。
【００１３】
弾性片３は、固定片２に操作部１を連結する連結手段でもあり、１つの固定片２に対して２本設けられ、合計４本（第１弾性片３ａ〜第４弾性片３ｄ）設けられている。
具体的に、第１弾性片３ａは基部が操作部１の左側斜め上に接続され、先端が第１固定片２ａの上部に接続されている。第２弾性片３ｂは基部が操作部１の左側斜め下部に接続され、先端が第１固定片２ａの下部に接続されている。第３弾性片３ｃは基部が操作部１の右側斜め上に接続され、先端が第２固定片２ｂの上部に接続されている。第４弾性片３ｄは基部が操作部１の右側斜め下部に接続され、先端が第２固定片２ｂの下部に接続されている。
但し、操作部２、固定片２、弾性片３は合成樹脂製で一体に形成されている。
【００１４】
弾性片３は細長く且つ折り曲げ形成された棒状体であり、基部は操作部１の周囲に沿って円弧状に配設された弾性調整部Ｃ（図３に示す）を有し、それぞれの折り曲げ形状が異なっても弾性力が等しくなるよう長さが調整されている。
ここで、弾性片３の折り曲げ形状が個々に異なる理由を説明すると、操作部１に対する固定片２の配置位置や、操作部１と固定片２の間の弾性片３を配設する環境は、近接配置されている回路基板に組み付けられた素子や部材の形状や突起状況により、最良の配置状態や最良の形状で配設することが難しい事による。そのため、この実施形態のように、少なくも上下が非対称に折り曲げられて配設される。
【００１５】
具体的に、ここでは操作部１に対して固定片２はその中心軸上の左右ではなく、下方にずらした状態で左右に配置されている。そのため、上側に配置された第１弾性片３ａ、第３弾性片３ｃの接続距離は、下側に配設された第２弾性片３ｂ、第４弾性片３ｄの接続距離より短い。そのため、弾性調整部Ｃを長くすることで、上下の弾性片３の弾性力の均一化を図っている。
【００１６】
図４は複合操作ボタンをインターホン機器に取り付けた状態を示し、前面側ケースを取り外して回路基板を露出させたインターホン機器の正面説明図である。また、図５は図４の状態で複合操作ボタンを取り外した状態を示し、１０が複合操作ボタンであり、ケース１１に収容された回路基板１２上に配置されている。そして、複合操作ボタン１０の背部には、図５に示すように４個のスイッチ４が左右方向に十字状に配置されている。尚、１３は液晶モニタ、１４はスピーカ配置部である。
【００１７】
このように、操作部１と弾性片３との間に障害物があったり、操作部１を挟む好ましい位置に固定片２を配置できず、適正な長さで互いにバランスの取れた弾性片３を設けるのが難しくても、弾性調整部Ｃの長さを各弾性片３の形状に合わせて調節することで、各弾性片３に対して一様な弾性力を持たせることができる。よって、複合操作ボタンの配置空間が制限されていても、十字方向に配置された４つのスイッチ４の良好な操作が可能となる。また、弾性調整部Ｃは、操作部１の外周に沿って円弧状に配設されるため、操作部１の周囲に僅かな空間があれば配設でき、好ましい長さの弾性調整部Ｃを容易に形成できる。
【００１８】
しかしながら、弾性片の形状を上述したように工夫しても、弾性力に差が発生して、操作部１の中間部を押下して隣接する２つのスイッチ４を同時にオンさせようとした場合、一方のスイッチ４が先にオンする場合がある。この場合、更に次のような形状とする。
図６は図３のＡ−Ａ線断面図、図７は図６のＢ部拡大図であり、この図を参照して説明する。
但し、ここでは第１スイッチ４ａと第２スイッチ４を同時にオンさせようと、操作部１の右上を押下した際に、第１スイッチ４ａが先にオンしてしまう場合を例に説明する。
この場合、図７に示すように、第１スイッチ４ａに当接する第１当接片５ａの高さを、第２スイッチ４ｂに当接する第２当接片５ｂの高さより僅かに低くする。例えば、操作部の直径Ｄ＝３０ｍｍである場合に、高さの差Ｔ＝０．１ｍｍとして僅かに低くする。
この結果、同時にオンさせることが可能となる。
【００１９】
このように、隣接するスイッチ４を同時にオンさせるために両スイッチ４の中間部位となる操作部１の中間部位を押下した際に、連動せず特定の一方が先にオン動作するよう形成されていても、先にオン動作するスイッチ当接片５の長さを所定量短くすることで、双方のスイッチ４が同時にオン可能となり、弾性片３の大きな変更を実施することなく違和感のない操作を実現できる。
【００２０】
尚、上記実施形態では、操作部１をリング状に形成しているが、中空部を無くして円盤状に形成しても良い。また、固定片２は、ケース内のレイアウト状況に応じて操作部１を縦に挟む様に配置しても良い。
【産業上の利用可能性】
【００２１】
上記実施形態はテレビドアホンのカメラをパンチルトする操作ボタンについて説明したが、監視カメラのパンチルト操作にも適用できる。更に、４つのスイッチを個別に操作、或いは４つの内の２つのスイッチを同時に操作できるのが好ましい複合スイッチ、例えばゲーム機の操作ボタンに対しても好適である。
【符号の説明】
【００２２】
１・・操作部、２・・固定片、３・・弾性片、４・・スイッチ、１０・・複合操作ボタン、Ｃ・・弾性調整部。
【図１】
2018049792.tif 000003
【図２】
2018049792.tif 000004
【図３】
2018049792.tif 000005
【図４】
2018049792.tif 000006
【図５】
2018049792.tif 000007
【図６】
2018049792.tif 000008
【図７】
2018049792.tif 000009